(57)【要約】【課題】簡単な機構で、かつ容易にジャム処理が行える用紙搬送装置およびこの用紙搬送装置を備える画像形成装置を提供する。【解決手段】本発明の用紙搬送装置２００は、ガイド部２３１，２３２、第１の搬送手段２１１，２１２、第２の搬送手段２２１，２２２および検出手段２４１，２４２を備える。ガイド部２３１，２３２は、搬送路を選択的に開放する。第１の搬送手段２１１，２１２は、用紙搬送方向においてガイド部２３１，２３２に対して上流側に配置される。第２の搬送手段２２１，２２２は、用紙搬送方向においてガイド部２３１，２３２に対して下流側に配置される。検出手段２４１，２４２は、第１の搬送手段２１１，２１２および第２の搬送手段２２１，２２２を通過中の用紙の搬送異常を検出する。【選択図】図２
2009018923.tif 000002
【特許請求の範囲】
【請求項１】
搬送路を選択的に開放する開閉式のガイド部と、
前記搬送路において前記ガイド部に対して上流側に配置される第１の搬送手段と、
前記搬送路において前記ガイド部に対して下流側に配置される第２の搬送手段と、
前記第１の搬送手段および前記第２の搬送手段を通過中の用紙の搬送異常を検出する検出手段と、
前記検出手段が用紙の搬送異常を検出すると、前記第１の搬送手段および前記第２の搬送手段を用いて用紙に撓みを発生させる制御手段と、
を備え、
前記ガイド部は、撓んだ用紙による押圧によって搬送路を開放するように構成される用紙搬送装置。
【請求項２】
前記第１の搬送手段は、前送りまたは停止が可能であり、
前記第２の搬送手段は、前送り、停止または後送りが可能である請求項１に記載の用紙搬送装置。
【請求項３】
前記検出手段が用紙の搬送異常を検出すると、前記第１の搬送手段を前送りさせ、前記第２の搬送手段を後送りさせて用紙に撓みを発生させる請求項１または２に記載の用紙搬送装置。
【請求項４】
前記検出手段が用紙の搬送異常を検出すると、前記第１の搬送手段を前送りさせ、前記第２の搬送手段を停止させて用紙に撓みを発生させる請求項１または２に記載の用紙搬送装置。
【請求項５】
前記検出手段が用紙の搬送異常を検出すると、前記第１の搬送手段を停止させ、前記第２の搬送手段を後送りさせて用紙に撓みを発生させる請求項１または２に記載の用紙搬送装置。
【請求項６】
請求項１〜５のいずれかに記載の用紙搬送装置を備える画像形成装置。
【発明の詳細な説明】
【技術分野】
【０００１】
本発明は、給紙部から排紙部まで用紙を搬送する用紙搬送装置およびこの用紙搬送装置を備える画像形成装置に関する。
【背景技術】
【０００２】
用紙搬送装置において、ジャムが発生した場合、ジャムを処理するために所定の手順に従って用紙搬送装置を操作する必要があり、手間がかかり煩雑であった。
【０００３】
そこで、ジャムが発生した場合に、搬送路開放手段としての扉を開いて搬送路を開放し、ジャムを起こした用紙を用紙搬送装置から取り除くことがユーザによって行われ、さらに扉を閉じた段階で搬送路内にまだ用紙が残留していると、用紙を強制的に自動排出するパージ処理技術が提案されている（例えば、特許文献１参照。）。
【特許文献１】特開２００１−１５８５６６号公報
【発明の開示】
【発明が解決しようとする課題】
【０００４】
しかしながら、特許文献１に記載された従来技術では、ジャム処理のためだけに複雑な機構を必要とし、不都合があった。
【０００５】
本発明の目的は、簡単な機構で、かつ容易にジャム処理が行える用紙搬送装置およびこの用紙搬送装置を備える画像形成装置を提供することにある。
【課題を解決するための手段】
【０００６】
本発明の用紙搬送装置は、ガイド部、第１の搬送手段、第２の搬送手段および検出手段を備える。ガイド部は、搬送路を選択的に開放する。第１の搬送手段は、用紙搬送方向においてガイド部に対して上流側に配置される。第２の搬送手段は、用紙搬送方向においてガイド部に対して下流側に配置される。検出手段は、第１の搬送手段および第２の搬送手段を通過中の用紙の搬送異常を検出する。制御手段は、検出手段が用紙の搬送異常を検出すると、第１の搬送手段および第２の搬送手段を用いて用紙に撓みを発生させる。
【０００７】
ガイド部は、撓んだ用紙による押圧によって搬送路を開放するように構成される。
【０００８】
この構成では、複雑な機構を必要としないでジャムした用紙が自動的に搬送路の外に出る。
【０００９】
この構成において、第１の搬送手段は、前送りまたは停止が可能であり、第２の搬送手段は、前送り、停止または後送りが可能であると好ましい。搬送異常の状況に応じて制御手段が前送り、停止および後送りをさせることにより、容易にジャム処理が行える。
【００１０】
本発明の用紙搬送装置は、画像形成装置に備えられると好ましい。
【発明の効果】
【００１１】
本発明における用紙搬送装置は、簡単な機構で、かつ容易にジャム処理が行える。
【発明を実施するための最良の形態】
【００１２】
以下、本発明の最良の実施形態に係る用紙搬送装置およびこの用紙搬送装置を備える画像形成装置を、図面を参照にしつつ詳細に説明する。
【００１３】
図１は、本発明の実施形態に係る画像形成装置の構成を示すブロック図である。画像形成装置１００は、ＣＰＵ１１０、ＲＡＭ１２０、ＲＯＭ１３０、ＨＤＤ１４０、用紙搬送装置１５０、画像形成部１６０、操作パネルコントローラ１７０、操作パネル１７５、読取部１８０および検出センサ２４１，２４２を備えている。検出センサ２４１，２４２は、本発明の検出部に相当する。
【００１４】
ＣＰＵ１１０は、ＲＡＭ１２０、ＲＯＭ１３０、ＨＤＤ１４０、用紙搬送装置１５０、画像形成部１６０、操作パネルコントローラ１７０、読取部１８０および検出センサ２４１，２４２を総括的に制御する。
【００１５】
ＲＡＭ１２０は、ＣＰＵ１１０のワーキングエリアとして使用する。
【００１６】
ＲＯＭ１３０は、ＣＰＵ１１０に実行させるためのプログラムを格納している。
【００１７】
ＨＤＤ１４０は、印刷データのスプールや解析後の印刷データを格納する。
【００１８】
用紙搬送装置１５０は、給紙部から排紙部まで用紙を搬送する。
【００１９】
画像形成部１６０は、搬送されてきた用紙に画像を形成する。
【００２０】
操作パネルコントローラ１７０は、操作パネル１７５の表示を制御する。
【００２１】
読取部１８０は、読取部１８０に載置された用紙の画像情報を読み取る。
【００２２】
検出センサ２４１，２４２は、用紙の搬送異常を検出するために設けられている。
【００２３】
以下、用紙搬送装置１５０の詳細について説明する。
【００２４】
図２および図３は、用紙搬送装置の構成を示す図である。用紙搬送装置２００は、搬送ローラ２１１，２１２，２２１，２２２、ペーパーガイド２３０、開閉式ペーパーガイド２３１，２３２、検出センサ２４１，２４２を備えている。搬送ローラ２１１，２１２は、本発明の第１の搬送手段に相当する。搬送ローラ２２１，２２２は、本発明の第２の搬送手段に相当する。開閉式ペーパーガイド２３１，２３２は、本発明のガイド部に相当する。
【００２５】
搬送ローラ２１１，２１２，２２１，２２２は、用紙２５０を画像形成部１６０へ搬送する。
【００２６】
ペーパーガイド２３０は、搬送路を構成する部材である。ペーパーガイド２３０のうち、一部に開閉式ペーパーガイド２３１，２３２が設けられている。
【００２７】
開閉式ペーパーガイド２３１，２３２は、搬送路を選択的に開放する。開閉式ペーパーガイド２３１，２３２は、それぞれバネ２６１，２６２によって浮動支持されている。バネ２６１，２６２は、開閉式ペーパーガイド２３１，２３２に用紙２５０の撓みによる押圧がかかると、その力に負ける程度の弾性力である。
【００２８】
検出センサ２４１，２４２は、用紙２５０の搬送異常を検出するために設けられている。
【００２９】
用紙２５０の搬送異常が検出されないときは、搬送ローラ２１１，２１２，２２１，２２２は、それぞれ正転している。
【００３０】
図２（Ａ）は、用紙２５０が搬送異常を起こし、それが検出センサ２４２に検出された状態である。用紙２５０の搬送異常が検出されると、搬送ローラ２１１，２１２，２２１，２２２は、それぞれ停止する。
【００３１】
次に図２（Ｂ）の状態に移行する。搬送ローラ２１１，２１２は正転し、搬送ローラ２２１，２２２は逆転し、用紙２５０を撓ませる。
【００３２】
次に図２（Ｃ）の状態に移行する。搬送ローラ２１１，２１２，２２１，２２２の回転によって撓んだ用紙２５０の押圧がペーパーガイド２３１，２３２にかかり、ペーパーガイド２３１，２３２は、搬送路を開放する。
【００３３】
次に図３（Ａ）の状態に移行する。用紙２５０の先端が搬送ローラ２１１，２１２を通過した状態となると、搬送ローラ２１１，２１２の回転は停止する。用紙２５０の先端が搬送ローラ２１１，２１２を通過した状態となったことを検出する手段は、検出センサ２４１を用いてもよいし、ＣＰＵ１１０が搬送ローラ２１１，２１２のトルクの変化を読み取り、回転を制御してもよい。
【００３４】
次に図３（Ｂ）の状態に移行する。用紙２５０の撓みによる押圧がなくなったペーパーガイド２３１は、バネ２６１の弾性によって搬送路を閉鎖する。
【００３５】
次に図３（Ｃ）の状態に移行する。用紙２５０の先端が搬送ローラ２２１，２２２を通過した状態となると、搬送ローラ２２１，２２２の回転は停止する。用紙２５０の先端が搬送ローラ２２１，２２２を通過した状態となったことを検出する手段は、検出センサ２４２を用いてもよいし、ＣＰＵ１１０が搬送ローラ２２１，２２２のトルクの変化を読み取り、回転を制御してもよい。また、用紙２５０の撓みによる押圧がなくなったペーパーガイド２３２は、バネ２６２の弾性によって搬送路を閉鎖する。ここで、用紙２５０は、搬送路から露出した状態となる。よって、ユーザは、搬送異常を起こした用紙２５０を容易に取り除くことができる。
【００３６】
本実施形態では、搬送ローラ２１１，２１２を正転させ、搬送ローラ２２１，２２２を逆転させて用紙２５０を撓ませているが、他に、搬送ローラ２１１，２１２を正転させ、搬送ローラ２２１，２２２を停止させて用紙２５０を撓ませてもよいし、また、搬送ローラ２１１，２１２を停止させ、搬送ローラ２２１，２２２を逆転させて用紙２５０を撓ませてもよい。用紙２５０の搬送異常が起こった位置によって回転の制御を変えることにより、効率的に用紙２５０を搬送路から露出させることができる。
【００３７】
本実施形態では、開閉式ペーパーガイドを２つに分割して考えているが、１つであってもよいし、３つ以上に分割していてもよい。搬送路を開放できる構造であればよいからである。
【００３８】
本実施形態では、第１の搬送手段、第２の搬送手段を搬送ローラとして例示しているが、それ以外のもの、たとえばベルト式の搬送手段やエアー式の搬送手段であってもよい。用紙搬送装置２００の用途、形態に応じて使い分けが可能である。
【００３９】
本実施形態の検出センサ２４１，２４２は、光学式のセンサでもよいし、接触式のセンサでもよい。用紙の搬送異常が検出できれば、形態に限定はない。
【００４０】
本実施形態の用紙搬送装置２００は、画像形成装置１００のあらゆる場所に適用できる。用紙の搬送異常が起こりやすい場所、例えば搬送路がカーブしている場所に適用すると効果的である。
【００４１】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００４２】
【図１】本発明の実施形態に係る画像形成装置の構成を示すブロック図である。
【図２】本発明の実施形態に係る用紙搬送装置の構成を示す図である。
【図３】本発明の実施形態に係る用紙搬送装置の構成を示す図である。
【符号の説明】
【００４３】
２００−用紙搬送装置
２１１，２１２−搬送ローラ（第１の搬送手段）
２２１，２２２−搬送ローラ（第２の搬送手段）
２３１，２３２−開閉式ペーパーガイド（ガイド部）
２４１，２４２−検出センサ（検出手段）
【図１】
2009018923.tif 000003
【図２】
2009018923.tif 000004
【図３】
2009018923.tif 000005